(57)【要約】【課題】例えば病人や怪我人・身障者など窓に近づくことができない人でも、引き違い開閉式窓用サッシを窓から離れた位置で手動操作により容易かつ安全に開閉することができるサッシの手動遠距離開閉装置を提供することにある。【解決手段】サッシ取付枠１に取り付けるユニットフレーム１０に、走行体１２と垂下フレーム１３とを設け、その垂下フレーム１３の上部両側には動滑車１４〜１７を、かつユニットフレーム１０の両端側には定滑車１８，２１，２２をそれぞれ配置し、ユニットフレーム１０または垂下フレーム１３に両端を固定した操作条材３０を動滑車１４〜１７と定滑車１８，２１，２２とに掛け渡し、その掛け渡し操作条材３０の中途部を第１および第２の条材引出機構１９，２０を介してユニットフレーム１０の外部に引き出すように構成した。【選択図】　　　　図１
2004143761.tif 000002
【特許請求の範囲】
【請求項１】
引き違い開閉式サッシのサッシ取付枠に取り付けるユニットフレームと、このユニットフレームにサッシ開閉方向へ走行自在に支持された走行体と、この走行体から垂下してサッシ面板に吸着または接着させる垂下フレームと、この垂下フレームの上部両側に取り付けられた左右の動滑車と、前記ユニットフレーム内に配置された左右の定滑車と、これらの定滑車と前記動滑車とに掛け渡され、かつ、両端が前記ユニットフレーム内の所定位置または前記垂下フレームに固定された操作条材と、この操作条材の中途部を前記ユニットフレームの外部に引き出す第１および第２の条材引出機構とを備え、
前記第１および第２の条材引出機構は、前記ユニットフレーム内からの操作条材を任意の引っ張り操作方向に方向変換可能な条材引出ガイド部材を有していることを特徴とするサッシの手動遠距離開閉装置。
【請求項２】
第１および第２の条材引出機構から引き出された操作条材は、建物の側壁および天井に配置された複数の定滑車に掛け渡されて天井面の所定位置から垂下していることを特徴とする請求項１記載のサッシの手動遠距離開閉装置。
【請求項３】
第１および第２の条材引出機構において、それぞれの条材引出ガイド部材は、ユニットフレームからの条材引出方向に沿った縦軸部を中心として３６０度回転自在で且つ該縦軸部との交叉軸部を中心に３６０度回転自在な回転式滑車からなっていることを特徴とする請求項１または請求項２記載のサッシの手動遠距離開閉装置。
【請求項４】
第１および第２の条材引出機構において、それぞれの条材引出ガイド部材は、下端開口側が漸次大径となって操作条材を挿通するラッパ状の貫通ガイド孔が設けられた部材からなっていることを特徴とする請求項１または請求項２記載のサッシの手動遠距離開閉装置。
【請求項５】
第１および第２の条材引出機構の各条材引出ガイド部材から垂下する操作条材の垂下端部は一連のループ状となっており、そのループ状の垂下端部には錘を吊持させたことを特徴とする請求項１から請求項４のうちのいずれか１項記載のサッシの手動遠距離開閉装置。
【発明の詳細な説明】
【０００１】
【発明の属する技術分野】
この発明は、窓等の引き違い開閉式サッシに組み付けるサッシの手動遠距離開閉装置に関するものである。
【０００２】
【従来の技術】
従来の引き違い開閉式窓用サッシは、サッシ枠にガラス面板を嵌め込んだ構造となっていて、それを窓取付枠（サッシ取付枠）の上下レール間に嵌め込んで人為的操作で開閉する基本構成となっている。かかる従来の引き違い開閉式窓用サッシは、その開閉の都度、窓に近づいてサッシ枠（窓枠）に指等を直接引っ掛けるなどして開閉するようになっている。
【０００３】
なお、上記先行技術は当業者一般に知られた技術であって、文献公知発明に係るものではない。
【０００４】
【発明が解決しようとする課題】
従来の引き違い開閉式窓用サッシは以上のように構成されているので、窓開閉の都度、窓に近づかなければならないが、病人や怪我人・身障者など窓に近づくことができない人々は、窓サッシを人為的に開閉操作することができなという課題があった。また、健常者であっても、高所の窓サッシを人為的操作で開閉するには困難性および危険性が伴うという課題があった。
【０００５】
この発明は上記のような課題を解決するためになされたもので、例えば病人や怪我人・身障者など窓に近づくことができない人でも、引き違い開閉式窓用サッシを窓から離れた位置で手動操作により容易かつ安全に開閉することができるサッシの手動遠距離開閉装置を提供することを目的とする。
【０００６】
また、この発明は、既設の引き違い開閉式窓用サッシに簡単に据え付けることができ、しかも、そのサッシから遠くに離れた病床等からでもサッシを容易かつスムーズに手動開閉することができるサッシの手動遠距離開閉装置を提供することを目的とする。
【０００７】
さらに、この発明は、操作条材の弛みを防止することができて意匠的美観を得ることができるサッシの手動遠距離開閉装置を提供することを目的とする。
【０００８】
【課題を解決するための手段】
この発明に係るサッシの手動遠距離開閉装置は、引き違い開閉式サッシのサッシ取付枠に取り付けるユニットフレームと、このユニットフレームにサッシ開閉方向へ走行自在に支持された走行体と、この走行体から垂下してサッシ面板に吸着または接着させる垂下フレームと、この垂下フレームの上部両側に取り付けられた左右の動滑車と、前記ユニットフレーム内に配置された左右の定滑車と、これらの定滑車と前記動滑車とに掛け渡され、かつ、両端が前記ユニットフレーム内の所定位置または前記垂下フレームに固定された操作条材と、この操作条材の中途部を前記ユニットフレームの外部に引き出す第１および第２の条材引出機構とを備え、前記第１および第２の条材引出機構は、前記ユニットフレーム内からの操作条材を任意の引っ張り操作方向に方向変換可能な条材引出ガイド部材を有しているものである。
【０００９】
この発明に係るサッシの手動遠距離開閉装置は、第１および第２の条材引出機構から引き出された操作条材が、建物の側壁および天井に配置された複数の定滑車に掛け渡されて天井面の所定位置から垂下しているものである。
【００１０】
この発明に係るサッシの手動遠距離開閉装置における第１および第２の条材引出機構において、それぞれの条材引出ガイド部材は、ユニットフレームからの条材引出方向に沿った縦軸部を中心として３６０度回転自在で且つ該縦軸部との交叉軸部を中心に３６０度回転自在な回転式滑車からなっているものである。
【００１１】
この発明に係るサッシの手動遠距離開閉装置における第１および第２の条材引出機構において、それぞれの条材引出ガイド部材は、下端開口側が漸次大径となって操作条材を挿通するラッパ状の貫通ガイド孔が設けられた部材からなっているものである。
【００１２】
この発明に係るサッシの手動遠距離開閉装置は、第１および第２の条材引出機構のそれぞれから垂下する操作条材の垂下端部が一連のループ状となり、そのループ状の垂下端部に錘が吊持させたものである。
【００１３】
【発明の実施の形態】
以下、この発明の実施の一形態を説明する。
実施の形態１．
図１はこの発明の実施の形態１によるサッシの手動遠距離開閉装置が取り付けられた引き違い開閉式窓用サッシを示す正面図、図２は図１中のサッシ開閉用ユニットの基本構成を示す概略的な正面図、図３は図２中のユニットフレームの一部を断面した要部拡大図、図４は図３中の回転式滑車を示す斜視図である。
図１において、１は建物の高所（例えば扉の上部）などに据え付けられたサッシ取付枠（窓取付枠）、２，３はそのサッシ取付枠１に取り付けられた引き違い開閉式の窓用サッシ、２ａ，３ａは窓用サッシ２，３の窓枠、２ｂ，３ｂはそれらの窓枠２ａ，３ａに取り付けられたガラス面板（サッシ面板）である。
【００１４】
１０は既設の前記サッシ取付枠１の上部に水平に後付けされたユニットフレームであり、このユニットフレーム１０は例えば図３に示すように断面コ字状の部材から成っている。１１は前記ユニットフレーム１０の上部内側に設けられたガイドレール、１２はそのガイドレール１１に支持されてサッシ開閉方向に走行するローラ走行体（走行体）であり、このローラ走行体１２は、複数のローラ１２ａと、当該ローラ１２ａの軸間を連結するローラ連結フレーム１２ｂとを備えた構成となっている。
【００１５】
１３は前記ローラ連結フレーム１２ｂから垂下する垂下フレームであり、この垂下フレーム１３の上部両側には、図２に示すように、上下左右の動滑車１４〜１７が回転自在に取り付けられている。１８は前記ユニットフレーム１０の左端部に取り付けられた左端側上部定滑車、１９，２０はその左端側上部定滑車１８の近傍（例えば、下方）で前記ユニットフレーム１０に取り付けられた第１および第２の条材引出機構であり、これらの条材引出機構１９，２０は滑車を利用したユニット（滑車ユニット）からなっている。
【００１６】
それらの条材引出用滑車ユニット１９，２０は、上部定滑車１９ａ，２０ａと、当該上部定滑車１９ａ，２０ａの下方で垂直軸部（縦軸部）を中心として水平方向に３６０度首振り回転自在で且つ前記垂直軸部との直交軸部または交叉軸部を中心として３６０度回転自在な回転式滑車１９ｂ，２０ｂとの組み合わせからなっている。
【００１７】
２１は前記ユニットフレーム１０の右端側に取り付けられた右端側上部定滑車、２２は同じく前記ユニットフレーム１０の右端側に取り付けられて前記右端側上部定滑車２１の下方に位置する右端側下部定滑車である。
以上において、前記動滑車１４〜１７および前記定滑車１８，２１，２２と、前記第１および第２の条材引出用滑車ユニット１９，２０における上部定滑車１９ａ，２０ａは前記ユニットフレーム１０内に収納配置されて表出しないようになっている。
【００１８】
３０は前記ユニットフレーム１０の左端側に一端が固定された操作条材である。この操作条材３０は、前記ユニットフレーム１０の左端側固定点Ａから前記垂下フレーム１３の左側上部動滑車１４→前記左端定滑車１８→前記垂下フレーム１３の左側下部動滑車１５→第１の条材引出用滑車ユニット１９の上部定滑車１９ａから下部の回転式滑車１９ｂにそれぞれ順次掛け渡された後、その回転式滑車１９ｂから第２の条材引出用滑車ユニット２０の回転式滑車２０ｂおよび上部定滑車２０ａを介して前記右端下部定滑車２２→前記垂下フレーム１３の右側の下部動滑車１７→前記右端上部定滑車２１→前記垂下フレーム１３の右側上部動滑車１６にそれぞれ順次掛け渡された後、前記操作条材３０の他端が前記ユニットフレーム１０の右端側に固定されているもので、その右端側固定点を符号Ｂで示す。
【００１９】
前記操作条材３０は、第１，第２の条材引出用滑車ユニット１９，２０の回転式滑車１９ｂ，２０ｂのそれぞれから弛み垂下する条材垂下部３０ａ，３０ｂを有している。これらの条材垂下部３０ａ，３０ｂはサッシ開閉用の操作部となるもので、それらの条材垂下部３０ａ，３０ｂの垂下端部は一連のループ状となっているものである。ここで、一方の条材垂下部３０ａをサッシ開放用とし、かつ他方の条材垂下部３０ｂをサッシ閉鎖用として一方の条材垂下部３０ａと他方の条材垂下部３０ｂとを色分けしておくことも可能である。これによって、サッシ開閉操作をいっそう容易に行うことができる。なお、前記操作条材３０としてはチェーンや紐状物などの条材が用いられる。
【００２０】
４１，４２は前記ユニットフレーム１３の側部に取り付けられて窓用サッシ２，３のガラス面板２ｂ，３ｂに吸着させた吸盤、５０は前記ユニットフレーム１３上に設けられたサッシ開閉操作用の取手であり、この取手５０でも窓用サッシ２，３を直に開閉できるようになっている。
【００２１】
次に動作について説明する。
窓用サッシ２，３が閉じた状態において、その窓用サッシ２，３から離れた遠距離位置で操作条材３０の一方の垂下部３０ａを矢印（ａ）方向に引っ張ると、右端側下部定滑車２２と右側下部動滑車１７および右端側上部定滑車２１と右側動滑車１６をそれぞれ介して垂下フレーム１３が右側に引っ張り移動させられることにより、その垂下フレーム１３の吸盤４１，４２を吸着させた側の窓用サッシ２または３が開放される。その窓用サッシ開放状態において、前記操作条材３０の他方の垂下部３０ｂを矢印（ｂ）方向に引っ張ると、前記垂下フレーム１３が左側に引っ張り移動させられることにより、窓用サッシ２または３が閉じられる。
【００２２】
以上のように構成した実施の形態１によるサッシの手動遠距離開閉装置は、そのユニットフレーム１０をサッシ取付枠１の上部に水平に取り付け配置し、そのユニットフレーム１０内のローラ走行体１２から垂下する垂下フレーム１３が備えた吸盤４１，４２をサッシ２，３のガラス面板２ｂ，３ｂに吸着させるだけで既設の引き違い開閉式サッシ２，３に簡単に後付けセットすることができるという効果がある。
また、サッシ２，３の開閉に際しては、ユニットフレーム１０から操作条材３０が長く垂下しているので、たとえ病人や怪我人・身障者など窓に近づくことができない人でも、窓用サッシ２，３から離れた位置で前記操作条材３０の垂下部３０ａ，３０ｂを引っ張るだけで簡単かつ安全に開閉することができるという効果がある。さらに、窓用サッシ２，３が高所にある場合でも、その窓用サッシ２，３から遠く離れた位置にて人為的操作で窓用サッシ２，３を容易かつ安全に開閉することができるという効果がある。
【００２３】
しかも、ユニットフレーム１０には、条材引出方向に沿った縦軸部を中心として３６０度回転自在で且つ該縦軸部との直交軸部または交叉軸部を中心として３６０度回転自在な回転式滑車１９ｂ，２０ｂを設けたので、操作条材３０の垂下部３０ａ，３０ｂを如何なる方向から引っ張った場合でも、その引っ張り方向に回転式滑車１９ｂ，２０ｂが首振り回転することとなり、このため、該回転式滑車１９ｂ，２０ｂのブラケット等に操作条材３０が引っ掛かったりするようなことがなくなってサッシ開閉操作をスムーズに行うことができるという効果がある。
【００２４】
実施の形態２．
図５はこの発明の実施の形態２によるサッシの手動遠距離開閉装置が取り付けられた引き違い開閉式窓用サッシを示す正面図であり、図１から図４と同一部分には同一符号を付して重複説明を省略する。
この実施の形態２では、上記実施の形態１によるサッシの手動遠距離開閉装置において、第１および第２の条材引出用滑車ユニット１９，２０の回転式滑車１９ｂ，２０ｂから垂下した操作条材３０の垂下部３０ａ，３０ｂの垂下端部（下端ループ部）にバランス滑車６０を介して錘６１を吊持させたものである。
この実施の形態２によれば、前記錘６１によって、操作条材３０を各滑車間で緊張状態に常時維持できるため、操作条材３０がユニットフレーム１０内の滑車間で弛み垂下するのを防止することができる。
【００２５】
実施の形態３．
図６はこの発明の実施の形態３によるサッシの手動遠距離開閉装置の据付状態を示す概略的な斜視図であり、図１から図５と同一または相当部分には同一符号を付して重複説明を省略する。
図６において、７１はサッシ取付枠１の近傍で建物の側壁内面に取り付けられた建物側の第１の定滑車ユニット、７２は建物の天井に取り付けられた建物側の第２の定滑車ユニット、７３は建物の天井に取り付けられた建物側の第３の定滑車ユニット、７４は建物天井近傍で建物の側壁内面に取り付けられた建物側の第４の定滑車ユニット、７５は建物の天井に取り付けられた建物側の第５の定滑車ユニットである。
【００２６】
なお、図６において、サッシ取付枠１に取り付けられたユニットフレーム１０内には上記実施の形態１の場合と同様に複数の滑車が配置され、かつ各滑車間には上記実施の形態１の場合と同じ要領で操作条材３０が掛け渡されているものである。
【００２７】
この実施の形態３においては、上記実施の形態１の場合と同様に第１および第２の条材引出機構１９，２０の回転式滑車１９ｂ，２０から引き出した操作条材３０を建物側の第１の定滑車７１から建物側（天井側）の第２〜第４の定滑車７２を介して第５の定滑車７５に掛け渡し、その第５の定滑車７５から操作条材３０を垂下させたものである。
【００２８】
すなわち、この実施の形態３では、ユニットフレーム１０内から前記回転式滑車１９ｂ，２０ｂを介して引き出した操作条材３０を、建物の壁部（側壁および天井壁）に配置した複数の定滑車７１〜７５に掛け渡すことで天井面に沿って張り巡らせた後、天井の所定箇所からベッド上の患者等に向かって垂下させたものである。
【００２９】
このような構成とした実施の形態３によれば、窓用サッシから遠く離れたサッシ開閉操作位置に向かって操作条材３０を容易に垂下させることができ、このため、病人や身障者および老人等は例えばベッド上で操作条材３０を引っ張り操作するだけで、遠距離の窓用サッシ３を容易かつスムーズに手動開閉することができるという効果がある。
【００３０】
実施の形態４．
図７はこの発明に実施の形態４による条材引出ガイド部材を示す斜視図、図８はその平面図である。
図７および図８において、８０は上記実施の形態１および上記実施の形態３による回転式滑車１９ｂ，２０ｂに代わる樹脂製の条材引出ガイド部材であり、この条材引出ガイド部材８０の本体となるボディ８１の中心部には貫通ガイド孔８２が設けられている。この貫通ガイド孔８２は下端開口側が漸次大径となるラッパ状に形成されて上部定滑車１９ａまたは２０ａからの操作条材３０を挿通するものである。８３は前記ボディ８１の上面中央部に一体形成された雄ねじ筒部であり、この雄ネジ筒部８３はユニットフレーム１０側にねじ込んだりナットを螺合したりしてユニットフレーム１０に取り付けるためのものである。
【００３１】
以上説明した実施の形態４によれば、ラッパ状の貫通ガイド孔８２を有する条材引出ガイド部材８０とし、そのラッパ状の貫通ガイド孔８２に操作条材３０を挿通して垂下させるように構成したので、その操作条材３０の垂下部を平面３６０度のどの方向から引っ張っても、この場合、操作条材３０は前記貫通ガイド孔８２のラッパ状の内周面に沿ってガイドされることにより、操作条材３０が条材引出ガイド部材８０に引っ掛かるようなことがなく、このため、操作条材３０を引っ張ることによるサッシ開閉操作をスムーズに安定して行うことができるという効果がある。
【００３２】
なお、上記実施の形態１から実施の形態３では、垂下フレーム１３に設けた吸盤４１，４２をサッシのガラス面板２ｂ，３ｂに吸着させるように構成したが、その吸盤４１，４２に代えて両面接着テープやマジックテープ（登録商標）（登録商標）等の簡易特殊テープにより前記垂下フレーム１３をガラス面板２ｂ，３ｂに結合させてもよく、この場合も同様の効果が得られる。
【００３３】
また、上記各実施の形態では、一本の操作条材３０の一端をユニットフレーム１０に対する左端側固定点Ａとし、前記操作条材３０の他端をユニットフレーム１０に対する右端側固定点Ｂとして操作条材３０の両端をユニットフレーム１０に固定したが、前記操作条材３０は、その両端を垂下フレーム１３の上部に連結固定してもよく、この場合も同様の作用効果が得られる。要するに、一本の操作条材３０をユニットフレーム１０内の定滑車と垂下フレーム１３両側の動滑車とに掛け渡し、その操作条材３０の両端を上述した実施の形態の場合と同様にユニットフレーム１０内の所定位置に固定するか、または、垂下フレーム１３の上部に固定してもよく、その何れの場合も定滑車および動滑車の数は適宜変更し得るものである。
【００３４】
【発明の効果】
以上のように、この発明によれば、引き違い開閉式サッシのサッシ取付枠に取り付けるユニットフレームに、サッシ開閉方向に走行する走行体と、この走行体から垂下する垂下フレームとを設け、その垂下フレームの上部両側には動滑車を、かつ前記ユニットフレームの両端側には定滑車をそれぞれ配置し、その定滑車と前記動滑車とに掛け渡した操作条材の両端を前記ユニットフレーム内の所定位置または前記垂下フレームに固定するとともに、前記操作条材の中途部を第１および第２の条材引出機構を介して前記ユニットフレームの外部に引き出すように構成したので、前記ユニットフレームを既設の窓用サッシのサッシ取付枠に後付けするだけで簡単に取り付けることができ、その取り付け状態では、窓用サッシから離れた遠距離位置にて前記操作条材のユニットフレームからの引き出す部を引っ張るだけの簡単な操作によって、前記窓用サッシを容易に開閉することができる。このため、たとえ病人や怪我人・身障者など窓に近づくことができない人でも、窓サッシから遠く離れた位置で窓用サッシを簡単かつ安全に開閉することができるという効果がある。さらに、窓サッシが高所にある場合でも、その窓サッシを遠く離れた位置にて人為的操作で容易かつ安全に開閉することができるという効果がある。
また、前記第１および第２の条材引出機構は、前記ユニットフレーム内からの操作条材を任意の引っ張り操作方向に方向変換可能な条材引出ガイド部材を有する構成としたので、前記操作条材の垂下部を如何なる方向から引っ張っても、該操作条材が引っ掛かるようなことがなくなってサッシから遠く離れた位置でのサッシ開閉操作を安定してスムーズに行うことができるという効果がある。
【００３５】
また、この発明によれば、第１および第２の条材引出機構から引き出された操作条材を、建物の側壁および天井に配置された複数の定滑車に掛け渡して天井面の所定位置から垂下させるように構成したので、窓サッシから遠く離れたサッシ開閉操作位置に向かって操作条材を容易に垂下させることができ、このため、病人や身障者および老人等は例えばベッド上で操作条材を引っ張り操作するだけで、遠距離の窓サッシを容易かつスムーズに手動開閉することができるという効果がある。
【００３６】
さらに、この発明によれば、第１および第２の条材引出機構として、ユニットフレームからの条材引出方向に沿った縦軸部を中心として３６０度回転自在で且つ該縦軸部との交叉軸部を中心にして３６０度回転自在な回転式滑車を適用するように構成したので、操作条材のユニットフレームからの引出部を如何なる方向から引っ張っても、その引っ張り方向に前記回転式滑車が首振り回転することにより、その回転式滑車のブラケット等に操作条材が引っ掛かったりするようなことがなくなってサッシ開閉操作をスムーズに行うことができるという効果がある。
【００３７】
さらに、この発明によれば、第１および第２の条材引出機構として、下端開口側が漸次大径となって操作条材を挿通するラッパ状の貫通ガイド孔を有する条材引出ガイド部材を適用するように構成したので、操作条材のユニットフレームからの引出部を平面３６０度のどの方向から引っ張っても、この場合、操作条材は前記貫通ガイド孔のラッパ状の内周面に沿ってガイドされることにより、操作条材が条材引出ガイド部材に引っ掛かるようなことがなく、このため、操作条材を引っ張ることによるサッシ開閉操作をスムーズに安定して行うことができるという効果がある。
【００３８】
さらに、この発明によれば、第１および第２の条材引出機構の各条材引出ガイド部材から垂下する操作条材の垂下端部に錘を吊持させるように構成したので、ユニットフレーム内の動滑車と定滑車との間で操作条材が弛み垂下するのを防止することができるという効果がある。
【図面の簡単な説明】
【図１】この発明の実施の形態１によるサッシの手動遠距離開閉装置が取り付けられた引き違い開閉式窓用サッシを示す正面図である。
【図２】図１中のサッシ開閉用ユニットの基本構成を示す概略的な正面図である。
【図３】図２中のユニットフレームの一部を断面した要部拡大図である。
【図４】図３中の回転式滑車を示す斜視図である。
【図５】この発明の実施の形態２によるサッシの手動遠距離開閉装置が取り付けられた引き違い開閉式窓用サッシを示す正面図である。
【図６】この発明の実施の形態３によるサッシの手動遠距離開閉装置の据付状態を示す概略的な斜視図である。
【図７】この発明に実施の形態４による条材引出ガイド部材を示す斜視図である。
【図８】図７の平面図である。
【符号の説明】
１　サッシ取付枠
２，３　窓用サッシ
２ａ，３ａ　窓枠
２ｂ，３ｂ　ガラス面板
１０　ユニットフレーム
１１　ガイドレール
１２　ローラ走行体
１２ａ　ローラ
１２ｂ　ローラ連結フレーム
１３　垂下フレーム
１４〜１７　動滑車
１８　左端側定滑車
１９　第１の条材引出用滑車ユニット
１９ａ　上部定滑車
１９ｂ　回転式滑車
２０　第２の条材引出用滑車ユニット
２０ａ　上部定滑車
２０ｂ　回転式滑車
２１　右端側上部定滑車
２２　右端側下部定滑車
３０　操作条材
３０ａ，３０ｂ　垂下部
４１，４２　吸盤
５０　取手
６０　バランス滑車
６１　錘
７１〜７５　建物側の定滑車
８０　条材引出ガイド部材
８１　ボディ
８２　貫通ガイド孔
８３　雄ねじ筒部
【図１】
2004143761.tif 000003
【図２】
2004143761.tif 000004
【図３】
2004143761.tif 000005
【図４】
2004143761.tif 000006
【図５】
2004143761.tif 000007
【図６】
2004143761.tif 000008
【図７】
2004143761.tif 000009
【図８】
2004143761.tif 000010